(57)【要約】【課題】ハンドル装置をタンクに対し極めて容易に着脱でき、しかもしっかりと固定することができる便器洗浄装置を提供する。【解決手段】ハンドル装置２０のケース２１の係合用凸部２１ａを開口２８に係合させてケース２１の後面をインナータンク２の内面に重ねた後、アーム３０，３０を接近方向に回動させる。ケース２１の凸条２１ｂを乗り越えるまで縦部３３を回動させることにより、ハンドル装置２０がインナータンク２に固定される。取り付けのためのボルトやナット等の細かな部品が不要であり、取り付け作業中にこれらの部品をインナータンク２内に落としてしまい、回収に手間取る等の事態も生じない。【選択図】図３
2009102843.tif 000002
【特許請求の範囲】
【請求項１】
便器洗浄水を貯水するためのタンクと、
該タンクの底部に設けられたフロート弁装置と、
線状体を介して該フロート弁装置のフロート弁体を引き上げるためのハンドル装置と、
該ハンドル装置を該タンクの側壁に対し着脱可能に固定する固定部材と
を有する便器洗浄装置において、
該固定部材は、基端側が該タンクに支持されており、先端側が該ハンドル装置に重なって該ハンドル装置を該タンクに固定した固定姿勢と、該先端側が該ハンドル装置から離脱し、該ハンドル装置を該タンクから取り外し可能とする離脱姿勢とを取り得るように回動可能なアームを有することを特徴とする便器洗浄装置。
【請求項２】
請求項１において、前記ハンドル装置は、
箱形のケースと、
該ケースを貫通するハンドルシャフトと、
該ケース内に設置された、該ハンドルシャフトを回動させるための電動駆動機と
を備えており、
前記アームは、前記固定姿勢にあっては先端側が該ケースに係合し、前記離脱姿勢にあっては先端側が該ケースから離脱するように回動可能となっていることを特徴とする便器洗浄装置。
【請求項３】
請求項２において、前記アームは、
前記ケースの上側に配置され、水平方向に旋回可能となるように基端側が該タンクに支持された上アームと、
前記ケースの下側に配置され、水平方向に旋回可能となるように基端側が該タンクに支持された下アームと、
該上アームの先端側と該下アームの先端側との間に架設された縦部と
を有しており、
前記固定姿勢にあっては該縦部が該ケースに重なり、前記離脱姿勢にあっては該縦部が該ケースから離反することを特徴とする便器洗浄装置。
【請求項４】
請求項３において、前記ケースの両側辺部にそれぞれ前記アームが配置されていることを特徴とする便器洗浄装置。
【請求項５】
請求項２ないし４のいずれか１項において、前記タンクは、ロータンクカバー内に配置される合成樹脂製のインナータンクであり、
該インナータンクの壁面の上部には、前記ハンドルシャフトを通すための非円形の開口が設けられており、
前記ケースには、該開口に係合した非円形の係合用凸部が設けられていることを特徴とする便器洗浄装置。
【請求項６】
請求項５において、該ケースと該インナータンクとの間に、前記開口を囲むパッキンが設けられていることを特徴とする便器洗浄装置。
【発明の詳細な説明】
【技術分野】
【０００１】
本発明は便器洗浄装置に係り、特にタンク底部に設けられたフロート弁装置のフロート弁をハンドル装置によって引き上げてタンク内の水を便器に供給するように構成した便器洗浄装置に関する。さらに詳しくは、本発明は、このハンドル装置のタンクへの取付構造を改良した便器洗浄装置に関する。
【背景技術】
【０００２】
便器に洗浄水を供給するためのタンクとして、底部の流出口にフロート弁装置が設けられ、タンクの側壁部に設けられたハンドルによって該フロート弁装置のフロート弁体を引き上げてタンク内の水を便器へ放出するよう構成したものが広く用いられている。
【０００３】
このタンクを合成樹脂製のインナータンクとし、ロータンクカバーでインナータンクを覆うようにしたタイプのものも近年広く用いられるようになってきている。
【０００４】
また、このロータンクカバーを昇降可能とし、洋風便器の後部上面の清掃等を行うことができるよう構成したものも周知となっている（例えば特開２０００−１０４３０７、特開２００３−２０１７２８）。
【０００５】
上記のフロート弁装置をモータで駆動するようにした便器洗浄装置も周知である（例えば特開２００６−２００１９２、特開２００６−１６１３３０、上記特開２００３−２０１７２８）。
【特許文献１】特開２０００−１０４３０７
【特許文献２】特開２００３−２０１７２８
【特許文献３】特開２００６−２００１９２
【特許文献４】特開２００６−１６１３３０
【発明の開示】
【発明が解決しようとする課題】
【０００６】
上記特開２００６−２００１９２、特開２００６−１６１３３０にあっては、モータを内蔵したケース（上記公報では筐体）はナットによってタンクに固定されているが、ナット締めは手間がかかる。また、作業途中でナットをタンク内に落したときには、探して拾い上げるのに著しく手間取る。
【０００７】
本発明は、このような問題点を解決し、ハンドル装置をタンクに対し極めて容易に着脱でき、しかもしっかりと固定することができる便器洗浄装置を提供することを目的とする。
【課題を解決するための手段】
【０００８】
請求項１の便器洗浄装置は、便器洗浄水を貯水するためのタンクと、該タンクの底部に設けられたフロート弁装置と、線状体を介して該フロート弁装置のフロート弁体を引き上げるためのハンドル装置と、該ハンドル装置を該タンクの側壁に対し着脱可能に固定する固定部材とを有する便器洗浄装置において、該固定部材は、基端側が該タンクに支持されており、先端側が該ハンドル装置に重なって該ハンドル装置を該タンクに固定した固定姿勢と、該先端側が該ハンドル装置から離脱し、該ハンドル装置を該タンクから取り外し可能とする離脱姿勢とを取り得るように回動可能なアームを有することを特徴とするものである。
【０００９】
請求項２の便器洗浄装置は、請求項１において、前記ハンドル装置は、箱形のケースと、該ケースを貫通するハンドルシャフトと、該ケース内に設置された、該ハンドルシャフトを回動させるための電動駆動機とを備えており、前記アームは、前記固定姿勢にあっては先端側が該ケースに係合し、前記離脱姿勢にあっては先端側が該ケースから離脱するように回動可能となっていることを特徴とするものである。
【００１０】
請求項３の便器洗浄装置は、請求項２において、前記アームは、前記ケースの上側に配置され、水平方向に旋回可能となるように基端側が該タンクに支持された上アームと、前記ケースの下側に配置され、水平方向に旋回可能となるように基端側が該タンクに支持された下アームと、該上アームの先端側と該下アームの先端側との間に架設された縦部とを有しており、前記固定姿勢にあっては該縦部が該ケースに重なり、前記離脱姿勢にあっては該縦部が該ケースから離反することを特徴とするものである。
【００１１】
請求項４の便器洗浄装置は、請求項３において、前記ケースの両側辺部にそれぞれ前記アームが配置されていることを特徴とするものである。
【００１２】
請求項５の便器洗浄装置は、請求項２ないし４のいずれか１項において、前記タンクは、ロータンクカバー内に配置される合成樹脂製のインナータンクであり、該インナータンクの壁面の上部には、前記ハンドルシャフトを通すための非円形の開口が設けられており、前記ケースには、該開口に係合した非円形の係合用凸部が設けられていることを特徴とするものである。
【００１３】
請求項６の便器洗浄装置は、請求項５において、該ケースと該インナータンクとの間に、前記開口を囲むパッキンが設けられていることを特徴とするものである。
【発明の効果】
【００１４】
本発明（請求項１）の便器洗浄装置にあっては、アームを回動させて固定姿勢とすることによりハンドル装置をタンクに固定することができ、また逆にアームを離脱姿勢とすることによりハンドル装置をタンクから取り外すことができる。従って、ハンドル装置の着脱が極めて容易である。
【００１５】
請求項２のように、本発明は電動駆動式のハンドル装置をタンクに取り付けるのに好適である。
【００１６】
請求項３の便器洗浄装置によると、ハンドル装置のケースをアームの上アームと下アームとで上下から挟んだ状態となるので、ハンドル装置の取り付けが安定する。
【００１７】
請求項４の便器洗浄装置によると、ケースの両側がアームによって保持されるので、ハンドル装置の取り付けが安定する。
【００１８】
請求項５の便器洗浄装置によると、インナータンクの非円形の開口とケースの非円形の係合用凸部とが係合することにより、ケースが開口の周方向に回転することが防止され、ハンドル装置の固定が堅固なものとなる。
【００１９】
請求項６の便器洗浄装置によると、万一インナータンク内の水位が上昇しても、開口からの漏水が防止される。
【発明を実施するための最良の形態】
【００２０】
以下、図面を参照して実施の形態について説明する。
【００２１】
第１図は実施の形態に係る便器洗浄装置を備えた洋風便器設備の斜視図、第２図はインナータンクの斜視図、第３図はハンドル装置の固定状態を示す斜視図、第４図はハンドル装置の固定方法を示す分解斜視図である。
【００２２】
第１図の通り、陶器製の洋風便器１の後部上面に、この洋風便器１の便鉢１ａへ便器洗浄水を供給するためのインナータンク２が設置されている。このインナータンク２を囲むようにタンクカバー３が設けられている。このタンクカバー３の前面下部に便座４及び便蓋５が上下方向回動可能に取り付けられている。タンクカバー３は、底面が開放した箱状体であり、この実施の形態では上面部に手洗鉢部３ａ及び手洗吐水栓３ｂが設けられている。
【００２３】
この実施の形態では、タンクカバー３は昇降可能となっている。洋風便器１の後部上面にはベースプレート６がボルト（図示略）によって固定されており、このベースプレート６にタンクカバー３の昇降の案内を行うためのガイド部材（図示略）が設けられている。なお、タンクカバー３はモータ等の駆動機構によって上下動するよう構成されてもよく、人手によって上下動するよう構成されてもよい。
【００２４】
タンクカバー３には、インナータンク２内からの水を手動によって放出させるためのレバーハンドル８が設けられている。
【００２５】
第２図に示す通り、インナータンク２の底部にフロート弁装置１０が設置されている。このフロート弁装置１０は、インナータンク２の底部の開口（図示略）に固定されたフロート弁座１１と、該フロート弁座１１に着座するフロート弁体１２と、フロート弁座１１から立ち上がるオーバーフロー管１３等を備えている。このフロート弁体１２を引き上げるためのハンドル装置２０がインナータンク２の側壁面の上部に取り付けられている。
【００２６】
このハンドル装置２０は、モータ及びギヤよりなる駆動機構を内蔵したケース２１と、該ケース２１を貫通しており、該駆動機構によって回転駆動されるハンドルシャフト２２等を備えている。ハンドルシャフト２２の先端側２２ａはＬ字形に折曲した形状となっている。フロート弁体１２を引き上げていない状態では、該先端側２２ａは鉛直下方を指向している。この先端側２２ａの下端とフロート弁体１２とがチェーン等の線状体２３によって連結されている。
【００２７】
ハンドル装置２０のインナータンク２への取付構造について次に説明する。
【００２８】
第４図の通り、インナータンク２の側壁面の上部に非円形（この実施の形態では方形）の開口２８が設けられている。ケース２１の後面（インナータンク対向面）には、この開口２８に係合する、該開口２８と同形の係合用凸部２１ａ（第２図）が設けられている。
【００２９】
インナータンク２には、ケース２１を留め付けるためのアーム３０が水平旋回方向（矢印θ方向）に回動自在に取り付けられている。このアーム３０は、略水平な上アーム３１及び下アーム３２と、これら上アーム３１及び下アーム３２の先端側同士を連結している縦部３３とを有したコ字形のワイヤ材よりなる。上アーム３１及び下アーム３２の基端側は、インナータンク２の内面に突設された支持座３４の孔３４ａ（第４図）に差し込まれ、これによりアーム３０が水平旋回方向に回動自在となっている。なお、図示は省略するが、上アーム３１及び下アーム３２の基端側は、互いに接近方向に折曲されて上下方向に延在しており、この上下方向部分が孔３４ａに回動自在に差し込まれている。
【００３０】
ケース２１の前面の左右の両側辺に沿って、上下方向に延在した凸条２１ｂが設けられている。ハンドル装置２０をインナータンク２に取り付けるに際しては、アーム３０，３０を離反方向に位置させておき、ケース２１の係合用凸部２１ａを開口２８に係合させつつケース２１の後面をインナータンク２の内面に重ね合わせる。なお、この際、開口２８を取り巻く環形のパッキン（図示略）をインナータンク２の内面とケース２１の後面との間に介在させるのが好ましい。このようにパッキンを介在させることにより、水が開口２８から流出することが防止される。また、パッキンの弾力性により、ケース２１のインナータンク２への固定が安定したものとなる。
【００３１】
係合用凸部２１ａを開口２８に係合させてケース２１の後面をインナータンク２の内面に重ねた後、アーム３０，３０を接近方向に回動させる。そして、縦部３３がケース２１の凸条２１ｂを乗り越えるまでアーム３０，３０を回動させることにより、第３図の通りハンドル装置２０がインナータンク２に固定される。
【００３２】
このようにハンドル装置２０をインナータンク２に固定した後、ハンドルシャフト２２の基端側にレバープレート４０を取り付ける。このレバープレート４０は、水平方向に延在する板状部材であり、ケース２１側の辺の中央部にはボス部４１が設けられ、このボス部４１に非円形の差込穴４２が設けられている。ケース２１の後面から突出したハンドルシャフト２２の基端がこの差込穴４２に差し込まれる。なお、ハンドルシャフト２２の基端は、この差込穴４２と同形の非円形断面形状となっている。
【００３３】
前記タンクカバー３のレバーハンドル８のハンドル軸８ａ（第４図）にはコ字形レバー４４が取り付けられている。このコ字形レバー４４は、タンクカバー３を洋風便器１上に着底させた状態では、レバープレート４０に重なった状態となる。この状態でレバーハンドル８を回すと、コ字形レバー４４がハンドル軸８ａの軸心回りに矢印Ｒ方向に回動し、これによってレバープレート４０も矢印Ｒ方向に回動する。レバープレート４０が回動することによりハンドルシャフト２２も回動し、線状体２３を介してフロート弁体１２が引き上げられる。
【００３４】
タンクカバー３を上昇させると、コ字形レバー４４はレバープレート４０から離反する。この状態では、レバーハンドル８を回しても、コ字形レバー４４は空転するだけであり、レバープレート４０及びハンドルシャフト２２は回転しない。
【００３５】
このように構成された便器洗浄装置を有する洋風便器設備においては、レバーハンドル８を手で回すか、又はリモコン等のフラッシュスイッチ（図示略）を操作してケース２１内のモータを駆動させることにより、ハンドルシャフト２２が回転し、フロート弁体１２が引き上げられ、インナータンク２内の水が便器１へ放出される。インナータンク２内の水位が低下してくると、フロート弁体１２がフロート弁座１１に着座し、インナータンク２に貯水される。
【００３６】
この実施の形態では、ハンドル装置２０は回動式のアーム３０によってインナータンク２に取り付けられており、ハンドル装置２０の着脱作業が極めて簡単である。また、取り付けのためのボルトやナット等の細かな部品が不要であり、取り付け作業中にこれらの部品をインナータンク２内に落としてしまい、回収に手間取る等の事態も生じない。また、ハンドル装置２０を図示のアーム３０，３０で固定した場合、ケース２１が上アーム３１と下アーム３２とで上下から挟まれた状態となるので、ハンドル装置２０の取り付けが極めて安定したものとなる。
【００３７】
上記のインナータンク２を備えてはいるがハンドル装置２０は装備されておらず、レバーハンドル８のみによってフラッシュ（便器洗浄）操作を行うタイプの洋風便器設備を販売し、その後、ハンドル装置２０を取り付けることによって本発明の便器洗浄装置付きの洋風便器設備に改装するようにしてもよい。
【００３８】
本発明では、図示は省略するが、インナータンク２の内面に、ケース２１の側辺に沿う凸部を設け、ケース２１の位置決めを行うようにしてもよい。
【００３９】
上記実施の形態では、ケース２１の左右両側をそれぞれアーム３０，３０で固定するようにしているが、ケース２１の左右の一方については突片と該突片の差込穴などよりなる係止機構によってインナータンク２に留め付けるようにし、左右の他方側部をアーム３０で固定するようにしてもよい。
【００４０】
本発明では、アーム３０を回し易くするために、縦部３３に摘み状の突出部を設けてもよい。
【００４１】
上記実施の形態は本発明の一例であり、本発明は図示以外の形態をもとりうる。
【図面の簡単な説明】
【００４２】
【図１】実施の形態に係る便器洗浄装置を備えた洋風便器設備の斜視図である。
【図２】インナータンクの斜視図である。
【図３】ハンドル装置の固定状態を示す斜視図である。
【図４】ハンドル装置の固定方法を示す分解斜視図である。
【符号の説明】
【００４３】
１  洋風便器
２  インナータンク
３  タンクカバー
８  レバーハンドル
８ａ  ハンドル軸
２０  ハンドル装置
２１  ケース
２１ａ  係合用凸部
２１ｂ  凸条
２２  ハンドルシャフト
３０  アーム
３１  上アーム
３２  下アーム
３３  縦部
３４  支持座
【図１】
2009102843.tif 000003
【図２】
2009102843.tif 000004
【図３】
2009102843.tif 000005
【図４】
2009102843.tif 000006